(57)【要約】【課題】構成が簡素で、廉価に製造できる高電圧回路を備えた、画像形成装置を提供する。【解決手段】画像形成装置では、画像形成時と転写クリーニング時とに高電圧が印加される、転写ローラ３６と転写対向ローラ３４とに、高圧電源部２０３から高電圧が供給されるよう構成する。半導体素子で構成されたスイッチ部２０１、２０２の切り換え動作によって、高圧電源部２０３の高圧出力を転写ローラ３６に印加すると共に転写対向ローラ３４を接地する第１のモードと、高圧電源部２０３からの高圧出力を転写対向ローラ３４に印加すると共に転写ローラ３６を接地する第２のモードと、に切り換え可能に構成する。高圧制御部１０５は、画像形成時に第１のモードに切り換え、転写クリーニング時に第２のモードに切り換えるよう制御する。【選択図】図１
2013222085.tif 000002
【特許請求の範囲】
【請求項１】
電子写真方式で画像を形成する画像形成装置において、
画像形成時と転写クリーニング時とに高電圧が印加される、転写ローラとこれに対向して配置された転写対向ローラと、
前記転写ローラと前記転写対向ローラとに供給される高電圧を出力する高圧電源部と、
半導体素子で構成されたスイッチ部の切り換え動作によって、前記高圧電源部からの高圧出力を前記転写ローラに印加すると共に前記転写対向ローラを接地する第１のモードと、前記高圧電源部からの高圧出力を前記転写対向ローラに印加すると共に前記転写ローラを接地する第２のモードと、に切り換え可能に構成された高圧ユニットと、
前記画像形成時に前記第１のモードに切り換え、前記転写クリーニング時に前記第２のモードに切り換えるよう、前記高圧ユニットを制御する高圧制御部と、
を有することを特徴とする画像形成装置。
【請求項２】
電子写真方式で画像を形成する画像形成装置において、
画像形成時と転写クリーニング時とに高電圧が印加される、転写ローラとこれに対向して配置された転写対向ローラと、
正の出力電圧を出力する第１の電源部と、
負の出力電圧を出力する第２の電源部と、
半導体素子で構成されたスイッチ部の切り換え動作によって、前記第１の電源部から正の電圧の出力を前記転写ローラに印加すると共に前記第２の電源部から負の電圧の出力を前記転写対向ローラに印加する第１のモードと、前記第１の電源部から正の電圧の出力を前記転写対向ローラに印加すると共に前記第２の電源部から負の電圧の出力を前記転写ローラに印加する第２のモードと、に切り換え可能に構成された高圧ユニットと、
前記画像形成時に前記第１のモードに切り換え、前記転写クリーニング時に前記第２のモードに切り換えるよう、前記高圧ユニットを制御する高圧制御部と、
を有することを特徴とする画像形成装置。
【発明の詳細な説明】
【技術分野】
【０００１】
本発明は、電子写真方式の複写機、プリンタ、複合機等に用いられる高圧電源を備えた画像形成装置に関する。
【背景技術】
【０００２】
一般に、電子写真方式の画像形成装置では、印字時に、２次転写ローラに正バイアスを印加し、転写内ローラはＧＮＤに接地（接地）している。この２次転写ローラをクリーニングする工程では、２次転写ローラに、バイアスを印加し、中間転写体に２次転写ローラの汚れトナーを付着させて、中間転写体のクリーニング手段で廃トナーとして回収している。
【０００３】
特に、２次転写ローラが正極性、負極性のトナーで汚れている場合には、２次転写ローラに正バイアスを印加する期間と負バイアスを印加する期間とを設けて、両極性の汚れトナーを回収している。
【０００４】
この２次転写ローラに高圧印加する２次転写高圧回路は、正バイアス回路と負バイアス回路を有する。この２次転写高圧回路では、印字時に、負バイアスをオフして正バイアスのみを印加する。また、この２次転写高圧回路では、クリーニング時に、正バイアスと負バイアスとをそれぞれ印加する期間に応じて、正又は負のバイアス回路の出力の一方をオフし、他方をＯＮにする。
【０００５】
また、中間転写体を備えた画像形成装置では、感光体上に形成された画像を転写紙に転写する転写工程で、紙の抵抗値が高いので中間転写体や２次転写ローラの抵抗値も高くする必要がある。このため、中間転写体を備えた画像形成装置は、出力電圧の高い高圧回路が必要となっていた。
【０００６】
このような画像形成装置では、正負の極性を切換える高圧電源を用いるのが普通である。例えば、このような画像形成装置では、２つの高圧トランスを備え、それぞれで正負出力を生成させる方法がある。
【０００７】
また、従来の画像形成装置には、１つのトランスで正負出力切換可能なセンタタップ式の高価な高圧トランスを用いる方式が提案されている（例えば、特許文献１参照）。
【先行技術文献】
【特許文献】
【０００８】
【特許文献１】特公平０２−１６６５９号公報
【発明の概要】
【発明が解決しようとする課題】
【０００９】
上述のような従来の画像形成装置では、特に、２次転写ローラの汚れをクリーニングするための高圧の出力として、２次転写工程と逆極性の高電圧を２次転写部に印加する必要があり、正、負の２極性の出力回路が必要である。このように従来の画像形成装置では、極めて高い印加電圧が必要であることから、出力耐圧の大きいトランスが必要となり、回路面積が大きくなり、部品の大幅なコストアップを招くという問題があった。
【００１０】
そこで、画像形成装置では、電子写真プロセスの用途に応じて、出力電圧の異なる高圧電源回路により、略同程度の出力を高耐圧のトランジスタで負荷毎の所望の出力電圧に制御して供給することが考えられる。このように構成した画像形成装置では、コンバータトランスを共通化し、小型化、コストダウンを図ることができる。
【００１１】
しかし、高耐圧のトランジスタなどの半導体スイッチ素子は、半導体製造の制約から素子自体の耐圧に上限がある。特に、高電圧を使用する回路構成に用いる極めて高い耐電圧の半導体素子は、極めて高価であり、また、所望の耐電圧の性能を備えた素子がない場合もある。
【００１２】
上述のような事情から、従来の画像形成装置に対しては、高電圧回路におけるコストダウンや回路規模の簡素化、部品共通化に向け、耐電圧の極端に高いトランスを使わずに高圧回路を構成することが課題となっていた。
【００１３】
本発明は、構成が簡素で、廉価に製造できる高電圧回路を備えた、画像形成装置を提供することを目的とする。
【課題を解決するための手段】
【００１４】
上記目的を達成するために、本発明の画像形成装置は、電子写真方式で画像を形成する画像形成装置において、画像形成時と転写クリーニング時とに高電圧が印加される、転写ローラとこれに対向して配置された転写対向ローラと、前記転写ローラと前記転写対向ローラとに供給される高電圧を出力する高圧電源部と、半導体素子で構成されたスイッチ部の切り換え動作によって、前記高圧電源部からの高圧出力を前記転写ローラに印加すると共に前記転写対向ローラを接地する第１のモードと、前記高圧電源部からの高圧出力を前記転写対向ローラに印加すると共に前記転写ローラを接地する第２のモードと、に切り換え可能に構成された高圧ユニットと、前記画像形成時に前記第１のモードに切り換え、前記転写クリーニング時に前記第２のモードに切り換えるよう、前記高圧ユニットを制御する高圧制御部と、を有することを特徴とする。
【発明の効果】
【００１５】
本発明の画像形成装置によれば、高圧回路の接続先である転写ローラ及び転写ローラに対向する転写対向ローラとに対して、高圧回路からの接続先を切換えるように構成する。そして、この画像形成装置では、画像形成時に高圧電源部からの高圧出力を転写ローラに印加する。また、転写クリーニング時には、高圧電源部からの高圧出力を転写対向ローラに印加すると共に転写ローラを接地するように切り換える。これにより、２次転写ローラの汚れクリーニングのための逆バイアス回路を不要とし、構成を簡素化して廉価に製造できる高電圧回路を用いることにより、大幅にコストダウンされた、画像形成装置を提供できる。
【図面の簡単な説明】
【００１６】
【図１】本発明の画像形成装置の第１実施の形態に係わる電子写真カラー複写機における全体の概略構成を示すブロック図である。
【図２】本発明の第１実施の形態に係わる電子写真カラー複写機を、縦断面で示す概略構成説明線図である。
【図３】本発明の第１実施の形態に係わる電子写真カラー複写機の全体ブロック図である。
【図４】本発明の第２実施の形態に係わる電子写真カラー複写機の概略構成を示すブロック図である。
【図５】本発明の第３実施の形態に係わる電子写真カラー複写機の概略構成を示すブロック図である。
【図６】本発明の第１実施の形態に係わる電子写真カラー複写機の動作の手順を例示するフローチャートである。
【発明を実施するための形態】
【００１７】
以下、本発明の画像形成装置の第１実施の形態に係わる、電子写真方式で画像を形成する電子写真カラー複写機について図面を参照しながら説明する。
【００１８】
図１は、本発明の第１実施の形態に係わる電子写真カラー複写機の概略構成を示すブロック図である。
【００１９】
この図１に示す電子写真カラー複写機は、複数の画像形成部を並列に配置し、且つ中間転写方式を採用したカラー画像出力装置として構成されている。
【００２０】
［画像形成装置の全体構成］
本第１実施の形態における電子写真カラー複写機は、画像読取部１Ｒと、画像出力部１Ｐとを有する。この画像読取部１Ｒは、原稿画像を光学的に読み取り、電気信号に変換して画像出力部１Ｐに送信する。
【００２１】
この電子写真カラー複写機は、複数（本実施の形態では４つ）並設された画像形成部１０（１０ａ、１０ｂ、１０ｃ、１０ｄ）を備える。さらに、この電子写真カラー複写機は、給紙ユニット２０と、中間転写ユニット３０と、定着ユニット４０と、クリーニングユニット５０、７０と、フォトセンサ６０と、制御ユニット８０とを備える。
【００２２】
この電子写真カラー複写機の各画像形成部１０（１０ａ、１０ｂ、１０ｃ、１０ｄ）は、全て同じ構成とされている。各画像形成部１０（１０ａ、１０ｂ、１０ｃ、１０ｄ）では、第一の像担持体としてのドラム状の電子写真感光体である、感光体ドラム１１（１ａ、１１ｂ、１１ｃ、１１ｄ）を備える。
【００２３】
この感光体ドラム１１（１ａ、１１ｂ、１１ｃ、１１ｄ）は、それぞれ回転自在に軸支され、矢印方向に回転駆動される。
【００２４】
この感光体ドラム１１ａ〜１１ｄの外周面に対向する各所定位置には、その回転方向に順に一次帯電器１２（１２ａ、１２ｂ、１２ｃ、１２ｄ）、光学系１３（１３ａ、１３ｂ、１３ｃ、１３ｄ）が配置されている。さらに、感光体ドラム１１ａ〜１１ｄの外周面に対向する各所定位置には、ミラー１６（１６ａ、１６ｂ、１６ｃ、１６ｄ）、現像装置１４（１４ａ、１４ｂ、１４ｃ、１４ｄ）が配置されている。加えて、感光体ドラム１１ａ〜１１ｄの外周面に対向する各所定位置には、クリーニング装置１５（１５ａ、１５ｂ、１５ｃ、１５ｄ）が配置されている。
【００２５】
この各画像形成部１０（１０ａ、１０ｂ、１０ｃ、１０ｄ）では、画像形成に当たり、一次帯電器１２（１２ａ、１２ｂ、１２ｃ、１２ｄ）が、感光体ドラム１１ａ〜１１ｄの表面に均一な帯電量の電荷を与える。
【００２６】
次に、感光体ドラム１１ａ〜１１ｄ上に静電潜像を形成するため、露光動作を行う。この露光動作では、光学系１３ａ〜１３ｄにより、記録画像信号出力部１Ｒからの記録画像信号に応じて変調したレーザビーム等の光線をミラー１６ａ〜１６ｄで反射させて感光体ドラム１１ａ〜１１ｄ上を露光する。
【００２７】
次に、感光体ドラム１１ａ〜１１ｄ上に形成された静電潜像を、現像装置１４ａ〜１４ｄによって、イエロー、シアン、マゼンタ、ブラックの４色の現像剤（以下、「トナー」という）によって顕像化する。
【００２８】
次に、感光体ドラム１１ａ〜１１ｄ上に顕像化された可視画像（トナー画像）を、後述する中間転写ユニット３０における第２の像担持体としてのベルト状の中間転写体上に転写する。すなわち、中間転写ユニット３０は、画像転写領域Ｔａ、Ｔｂ、Ｔｃ、Ｔｄに配置され、中間転写ベルト３１上に感光体ドラム１１ａ〜１１ｄ上に顕像化された可視画像（トナー画像）を転写する機能を備える。
【００２９】
次に、感光体ドラム１１ａ〜１１ｄは、画像転写領域Ｔａ、Ｔｂ、Ｔｃ、Ｔｄの下流側の位置で、クリーニング装置１５ａ、１５ｂ、１５ｃ、１５ｄでクリーニング処理される。このクリーニング処理では、感光体ドラム１１ａ〜１１ｄの表面に中間転写体に転写されずに残されたトナーをクリーニング装置で掻き落としてドラム表面の清掃が行われる。
【００３０】
この各画像形成部１０（１０ａ、１０ｂ、１０ｃ、１０ｄ）では、上述したプロセスにより、各色のトナーによる画像形成が順次行われる。
【００３１】
次に、この電子写真カラー複写機では、各画像形成部１０で中間転写ベルト３１上に転写されたトナー画像を、転写材Ｐ上に転写するため、給紙ユニット２０を稼働させる。
【００３２】
この給紙ユニット２０は、転写材Ｐを収納するためのカセット２１ａ、２１ｂ及び手差しトレイ２７を備える。この給紙ユニット２０は、カセット２１ａ、２１ｂ又は手差しトレイ２７より転写材Ｐを一枚ずつ送り出すためのピックアップローラ２２ａ、２２ｂ、２６を備える。この給紙ユニット２０は、各ピックアップローラ２２ａ、２２ｂ、２６から送り出された転写材Ｐを更に搬送するための給紙ローラ対２３と、給紙ガイド２４とを備える。この給紙ユニット２０は、各画像形成部の画像形成タイミングに合わせて転写材Ｐを二次転写領域Ｔｅへ送り出すためのレジストローラ２５ａ、２５ｂを備える。
【００３３】
ここで、上述した電子写真カラー複写機における中間転写ユニット３０について詳細に説明する。
【００３４】
この中間転写ユニット３０は、例えばＰＥＴ（ポリエチレンテレフタレート）、ＰＶｄＦ（ポリフッ化ビニリデン）等で形成された、中間転写ベルト３１を備える。この中間転写ベルト３１は、駆動ローラ３２と、従動ローラ３３と、２次転写対向ローラ３４との間に、巻き掛けられている。
【００３５】
このように張設巻回されている中間転写ベルト３１には、駆動ローラ３２によって駆動力が伝達される。この駆動ローラ３２は、金属ローラの表面に数ｍｍ厚のゴム（ウレタン又はクロロプレン）をコーティングしてベルトとの間でスリップしないように構成されている。この駆動ローラ３２は、パルスモータ（不図示）によって回転駆動されるよう構成されている。
【００３６】
また、この中間転写ベルト３１は、ばね（図示せず）の付勢力によって適度なテンションを与えるテンションローラとして構成された従動ローラ３３により弛まないように張架されている。このように張架された中間転写ベルト３１は、駆動ローラ３２と従動ローラ３３との間に、一次転写平面Ａが形成される。
【００３７】
この中間転写ユニット３０では、各感光体ドラム１１ａ〜１１ｄと中間転写ベルト３１が対向する一次転写領域Ｔａ〜Ｔｄにおける中間転写ベルト３１の裏側に、一次転写用帯電器３５（３５ａ〜３５ｄ）が配置されている。
【００３８】
一方、この中間転写ユニット３０では、２次転写対向ローラ３４に対向して二次転写ローラ３６が適度な圧力で転接されることにより、中間転写ベルト３１をニップする二次転写領域Ｔｅが構成される。
【００３９】
この中間転写ユニット３０では、中間転写ベルト３１の二次転写領域Ｔｅの下流に、中間転写ベルト３１の画像形成面をクリーニングするためのクリーニングユニット５０が配置されている。
【００４０】
このクリーニングユニット５０は、中間転写ベルト３１上のトナーを除去するためのクリーニングブレード５１と、廃トナーを収納する廃トナーボックス５２とを備えている。
【００４１】
また、中間転写ベルト３１の駆動ローラ３２部には、クリーニングブレード７０とクリーニングブレード７０とを中間転写ベルト３１から着脱するためのパルスモータ（不図示）が配置されている。このクリーニングブレード７０は、中間転写ベルト３１上のトナーを除去するためのものである。
【００４２】
図２に示すように、この電子写真カラー複写機は、定着ユニット４０を備える。この定着ユニット４０は、内部にハロゲンヒーターなどの熱源を備えた定着ローラ４１ａと、そのローラに加圧される４１ｂ（このローラにも熱源を備える場合もある）とを備える。この定着ユニット４０は、ローラ対４１ａ、４１ｂのニップ部へ転写材Ｐを導くためのガイド４３と、定着ユニットの熱を内部に閉じ込めるための定着断熱カバー４６、４７とを備える。この定着ユニット４０は、ローラ対４１ａ、４１ｂから排出されてきた転写材Ｐをさらに装置外部に導き出すための内排紙ローラ４４と、外排紙ローラ４５及び転写材Ｐ積載する排紙トレイ４８等とを備えている。
【００４３】
［装置の制御系の説明］
次に、この電子写真方式の電子写真カラー複写機の制御系について、図３を参照して説明する。
【００４４】
この電子写真カラー複写機は、制御ユニットとしてのシステムコントローラ１０１によって統括的にコントロールされるよう構成されている。このシステムコントローラ１０１は、主に本装置内の各負荷の駆動、センサ類の情報収集解析及び操作部１０２であるユーザインターフェースとのデータの交換の役割を担っている。
【００４５】
このシステムコントローラ１０１は、上述した役割を担うために、ＣＰＵ１０１ａ、ＲＯＭ１０１ｂ及びＲＡＭ１０１ｃを搭載している。このＣＰＵ１０１ａは、ＲＯＭ１０１ｂに格納されたプログラムによって、予め決められた画像形成シーケンスに係わる様々なシーケンスを実行する。またその際、一次的または恒久的に保存することが必要な書換可能なデータをＲＡＭ１０１ｃに格納する。このＲＡＭ１０１ｃには、例えば後述する高圧制御部１０５への高圧設定値、各種データ及び操作部１０２からの画像形成指令情報等を保存する。
【００４６】
このシステムコントローラ１０１は、操作部１０２から、ユーザにより設定された複写倍率、濃度設定値などの情報を得ている。また、このシステムコントローラ１０１は、画像形成装置の状態、例えば画像形成枚数や画像形成中か否かの情報、ジャムの発生やその箇所等のデータを操作部１０２へ送出し、ユーザに示せるようにしている。
【００４７】
この電子写真カラー複写機では、装置内部の各所にモータ、クラッチ／ソレノイド等のＤＣ負荷及び、フォトインターラプターやマイクロスイッチ等のセンサが配置されている。
【００４８】
このシステムコントローラ１０１は、モータを駆動制御し、各ＤＣ負荷を適宜制御することで、転写材の搬送や各ユニットを動作させており、その動作を各種センサで監視しながら制御している。
【００４９】
このため、システムコントローラ１０１は、各種センサ類１０９からの信号をもとに、モータ制御部１０７により各モータをコントロールする。これと共に、システムコントローラ１０１は、ＤＣ負荷制御部１０８により、クラッチ／ソレノイドを動作させて画像形成動作を円滑に進めるよう制御している。
【００５０】
また、システムコントローラ１０１は、高圧制御部１０５に各種高圧制御信号を送出する。これにより、高圧ユニット１０６を構成する各種帯電器である一次帯電器、転写帯電器、及び現像器内の現像ローラには、適切な高圧が印可される。
【００５１】
この電子写真カラー複写機で用いられる定着ローラ４１ａ、４１ｂには、それぞれローラを加熱するためのヒータ１１１が内蔵されている。定着ローラ４１ａ、４１ｂの各ヒータは、ＡＣドライバ１１０によってＯＮ／ＯＦＦ制御されるよう構成されている。
【００５２】
また、ローラの加熱制御のため、各定着ローラ４１ａ、４１ｂにはその温度を測定するためのサーミスタ１０４が設けられている。このサーミスタ１０４の出力は、Ａ／Ｄ１０３によって各定着ローラの温度変化に応じた抵抗値変化が電圧値に変換された後、デジタル値の温度データとしてシステムコントローラ１０１に入力される。そしてシステムコントローラ１０１は、この温度データに基づいて前述のＡＣドライバ１１０を制御することになる。
【００５３】
［印字動作の説明］
次に、上述のように構成された電子写真カラー複写機の印字動作について説明する。
【００５４】
この電子写真カラー複写機では、制御ユニットにおけるシステムコントローラ１０１が動作の制御を実行する。この制御ユニットは、各ユニット内の機構の動作を制御するための中央処理装置であるＣＰＵ、レジストレーション補正回路及びモータドライバ部等を備える。
【００５５】
この電子写真カラー複写機では、制御ユニットにおけるＣＰＵにより画像形成動作開始信号が発せられると、選択された用紙サイズ等により選択された給紙段に対して給紙動作の制御が開始される。例えば上段の給紙段から給紙される場合について説明すると、図２にて、先ず、ピックアップローラ２２により、カセット２１から転写材Ｐが一枚ずつ送り出される。
【００５６】
そして、複数配置された給紙ローラ対２３によって転写材Ｐが給紙ガイド２４の間を案内されてレジストローラ２５まで搬送される。この時レジストローラ２５が停止されているため、転写材Ｐの先端は、ニップ部に突き当たる。
【００５７】
次に、制御ユニットは、画像形成部が画像の形成を開始するタイミングに合わせてレジストローラ２５の、回転を始めさせるよう制御する。この回転時期は、転写材Ｐと画像形成部より中間転写ベルト３１上に一次転写されたトナー画像とが二次転写領域Ｔｅにおいて一致するように、タイミングが設定されている。
【００５８】
一方、制御ユニットに制御された画像形成部では、画像形成動作開始信号が発せられると、前述したプロセスにより中間転写ベルト３１の回転方向で最上流側にある感光体ドラム１１ｄでトナー画像が形成される。そして、この感光体ドラム１１ｄ上に形成されたトナー画像は、一次転写領域Ｔｄにおいて高電圧が印加された一次転写用帯電器３５ｄにより中間転写ベルト３１に一次転写される。
【００５９】
このように一次転写されたトナー像は、中間転写ベルト３１と共に、次の一次転写領域Ｔｃまで搬送される。そして、そこの感光体ドラムでは、各画像形成部間を中間転写ベルト３１によりトナー画像が搬送される時間だけ遅延して画像形成が行われており、前トナー画像の上にレジストを合わせて、その次のトナー画像が転写される。その後、制御ユニットに制御された画像形成部では、同様の工程が繰り返され、最終的に４色のトナー画像が中間転写ベルト３１上に重ねて一次転写される。
【００６０】
次に、制御ユニットは、画像形成時に、転写材Ｐが二次転写領域Ｔｅに進入して中間転写ベルト３１に接触すると、転写材Ｐの通過タイミングに合わせて二次転写ローラ３６に高電圧を印加するよう制御する。
【００６１】
これにより、前述した画像形成時のプロセスにより中間転写ベルト３１上に形成された４色のトナー画像が転写材Ｐの表面に転写される。その後、転写材Ｐは搬送ガイド４３によって定着ローラニップ部まで正確に案内される。そして、ローラ対４１ａ、４１ｂの熱及びニップの圧力によってトナー画像は、転写材Ｐ表面に定着される。その後、転写材Ｐは、制御ユニットに制御された内外排紙ローラ４４、４５により搬送され、機外に排出され、排紙トレイ４８に積載される。
【００６２】
「第１実施の形態の特別な構成である高電圧の出力に関する説明」
本第１実施の形態に係わる電子写真カラー複写機では、印字時の転写高圧を出力するための高圧電源の出力先を、転写ローラと転写内ローラとで切換可能に構成する。さらに、この電子写真カラー複写機では、画像形成時又は転写クリーニング時において、転写ローラ又は転写内ローラの一方に高電圧を印加しているときに、他方をＧＮＤに接続（接地）するよう構成している。
【００６３】
また、転写ローラと転写内ローラとに、互いに逆極性の高圧出力を印加する構成では、各高圧出力の相対差分の電圧が印加されることになる。このため、各高圧出力トランスの最大電圧を半分にできるので、安価に電源回路を構成できる。
【００６４】
この電子写真カラー複写機では、高圧電源の出力を転写ローラと転写内ローラとで切り換え可能に構成することにより、転写ローラクリーニング時に、逆バイアス専用の高圧電源が不要になる。よって、安価な高圧回路で正バイアス、逆バイアスの印加が可能となり、構成を簡素化してコストダウンを図ることができる。
【００６５】
この電子写真カラー複写機では、高圧電源の出力先を切り換えるためのスイッチを、電気的な信号で切換可能なスイッチ手段で構成する。このスイッチ手段は、リレーなどのスイッチ手段で構成し又は半導体スイッチ素子で構成してもよい。例えば、耐高電圧の半導体素子であるトランジスタやＦＥＴ、ＩＧＢＴといった、数ｋＶ以上の高電圧のＯＮ／ＯＦＦが可能な半導体素子を利用しても良い。このような高耐圧の半導体素子をスイッチとして用いることで、接点レスの高寿命、高信頼性のスイッチ動作が可能となる。さらに、高価なトランスを使わずに、耐高電圧の半導体素子によって高圧電源の出力先を切換えるようにすれば、装置全体としてのコストダウンを図り、各種の出力仕様によって、極性を切り換える回路の共通化を図りやすくなる。
【００６６】
以下、本第１実施の形態に係わる電子写真カラー複写機における高電圧の出力に関する部分について、図１の高圧電源の出力先を切換える構成を示すブロック図を参照して説明する。
【００６７】
この電子写真カラー複写機では、高圧制御部１０５が高圧ユニット１０６における転写高圧出力を制御して、クリーニング処理（以下、ＣＬＮ処理と呼ぶ）を行う。
【００６８】
このため、高圧制御部１０５が接続されている高圧ユニット１０６は、高圧制御部１０５からの信号Ｌ２０３によって、高圧電源部２０３の出力Ｌ２０１ＣのＯＮ／ＯＦＦや出力電圧値が決定されるよう構成されている。
【００６９】
また、高圧制御部１０５は、ＣＬＮ処理に当たり、信号Ｌ２０１，Ｌ２０２を高圧ユニット１０６へ送信して、中間転写ベルト３１に対し２次転写ローラ３６が負電圧になるようにスイッチ部（ＳＷ部）２０１、２０２の切換設定を指定する。すなわち、この高圧制御部１０５は、正電圧出力する電源回路である高圧電源部２０３に、信号Ｌ２０１，Ｌ２０２を送信して、図１に示すように、スイッチ部２０１をＳＷ１−Ｂ、スイッチ部２０２をＳＷ２−Ｂ側に接続するように指定する。
【００７０】
高圧電源部２０３は、出力した高圧出力Ｌ２０１Ｃを、スイッチ部２０１のＳＷ１−Ｃ端子に入力するように接続されている。また、高圧制御部１０５は、信号Ｌ２０１を出力して、ＳＷ２０１をＳＷ１−Ｂ端子側に切り換え可能に構成されている。
【００７１】
さらに、スイッチ部２０１におけるＳＷ１−Ｂ端子からの出力は、ラインＬ３４により２次転写対向ローラ３４に入力されるように接続されている。
【００７２】
この回路では、高圧制御部１０５の制御により、高圧ユニット１０６が図１に示す状態に切り換えられたときに、２次転写対向ローラ３４に、正電圧が印加される。すなわち、高圧電源部２０３から出力された高圧出力Ｌ２０１Ｃは、ＳＷ２０１のＳＷ１−Ｂ端子側を通り、ラインＬ３４を通って２次転写対向ローラ３４に入力される。
【００７３】
これと共に、この回路では、高圧制御部１０５の制御により、高圧ユニット１０６が図１に示す状態に切り換えられたときに、２次転写ローラ３６は、電源のＧＮＤ側が接続（接地）される。すなわち、２次転写ローラ３６は、ラインＬ３６、スイッチ部２０２のＳＷ２−Ｂ端子及びラインＬ２０２Ｃを通し電流検知部２０４を介して、ＧＮＤに接続（接地）される。
【００７４】
また、この回路では、ＣＬＮ処理の際に、電流検知部２０４から、電流検知信号Ｌ２０４が高圧制御部１０５に送られるように構成されている。
【００７５】
この回路では、定電流制御を行う際に、高圧制御部１０５が、電流検知信号Ｌ２０４によって電流検知結果をモニタする。そして、高圧制御部１０５は、ラインＬ２０３を通じて受信した信号により、高圧電源部２０３の出力電流を所望の定電流値になるように制御する。
【００７６】
この回路では、回路の高圧電源部２０３の出力を所定の定電圧値になるようにする定電圧駆動を行うように構成してもよい。この場合には、図示しない電源部内の電圧モニタ回路で所定の電圧になるように定電圧制御を行う。
【００７７】
また、この回路では、印字動作時に、スイッチ部２０１、２０２を、図１に示すのと逆の接続とする。この場合には、スイッチ部２０１をＳＷ１−Ａに切り換え、スイッチ部２０１をＳＷ２−Ａ側に切り換えることで、印字時の２次転写処理を行う。すなわち、この印字動作の場合に、この回路では、高圧制御部１０５の制御により、高圧ユニット１０６が、スイッチ部２０１、２０２を、図１に示すのと逆の接続状態に切り換える。これにより、高圧電源部２０３から出力された高圧出力Ｌ２０１Ｃは、ＳＷ２０１のＳＷ１−Ａ端子側を通り、ラインＬ３６を通って２次転写ローラ３６は、に入力される。また、２次転写対向ローラ３４は、ラインＬ３４、スイッチ部２０２のＳＷ２−Ａ端子及びラインＬ２０２Ｃを通し電流検知部２０４を介して、ＧＮＤに接続（接地）される。
【００７８】
この電子写真カラー複写機では、２次転写に係る高圧ユニット１０６において、上述のように高圧電源からの出力先を切り換えるように構成した。よって、この構成によれば、高価なトランスを使用し、また、正、負各１個のトランスを用いた複雑な回路構成を用いたものと比較して、構成を簡素化し、廉価な電源ユニットを提供できる。さらに、この構成によれば、低コストの高圧トランス高圧回路を他の高圧回路や他の機種と共用しやすくなり、一層のコストダウンが図れる。
【００７９】
［電子写真カラー複写機の動作］
以下、本第１実施の形態に係わる電子写真カラー複写機の動作処理について、図６のフローチャートを参照して説明する。
【００８０】
この複写機の動作処理では、電子写真カラー複写機の電源がオンされると、装置の動作が開始される（ステップＳ１）。この動作が開始された電子写真カラー複写機では、制御ユニット８０が装置状態をチェックするため、装置状態が朝一の電源ＯＮされた状態又はＪＡＭ状態であるかを判断する。そして、制御ユニット８０が朝一の電源ＯＮされた状態であると判断した場合には、朝一処理を実行する（ステップＳ３）。
【００８１】
この朝一処理では、装置の初期化動作としての各種の準備動作が行われる。すなわち、この朝一処理では、定着器の温調動作やトナー濃度検知動作やレジストレーション補正等を実行する。
【００８２】
特に、この朝一処理では、印字前であってトナー濃度検知→レジストレーション補正等のために、印字動作を行う必要がある場合に、中間転写体上の転写残トナーのクリーニングを行う。これと共に、この朝一処理では、２次転写ローラ３６のローラ表面に付いたトナー汚れを取り除くといったＣＬＮ処理を行う。このため、高圧制御部１０５は、高圧ユニット１０６へ、ＣＬＮ処理を行うための設定を送る。
【００８３】
このＣＬＮ処理では、図１のスイッチ部２０１、２０２が、ラインＬ２０１、ラインＬ２０２によりＳＷ１―Ｂ、ＳＷ２−Ｂ側に設定され、２次転写ローラ３６に正電圧が印加され、２次転写対向ローラ３４に負電圧が印加される。これにより、中間転写ベルト３１上にある転写残トナーは、中間転写ベルト３１上に付着させられ、クリーニングユニット５０、７０でのクリーニングブレードで掻き取られて清浄化される。このようにして朝一処理が終了すると、次のステップＳ６へ進む。
【００８４】
また、ステップＳ２で、制御ユニット８０が装置状態をチェックした検出結果、ＪＡＭ状態であると判断した場合には、ステップＳ４へ進み、ＪＡＭ状態が解除されるまで待機し、ＪＡＭ状態が解除された後、ステップＳ５へ進む。
【００８５】
このステップＳ４では、電子写真カラー複写機がＪＡＭ状態となっている。そこで、制御ユニット８０は、ユーザにより正規のＪＡＭ処理が完了したかどうかを判断するためのＪＡＭ状態の解除検知を行う（ステップＳ４）。ここで、制御ユニット８０は、装置内の各所に配置された図示しないＪＡＭ検知センサでＪＡＭ紙の検知を行い、ＪＡＭ紙が取り除かれて検知されなくなったときにＪＡＭ状態が解除されたと判断し、ステップＳ５へ移行する。
【００８６】
次に、ステップＳ５では、制御ユニット８０が、ＪＡＭ処理後の装置状態を適正な状態に復旧するために、２次転写部のＣＬＮ処理等のＪＡＭ後処理動作を実行する。このＪＡＭ後処理動作では、スイッチ部２０１、２０２が、ＳＷ１−Ｂ，ＳＷ２−Ｂ側に設定され、ＣＬＮ処理が行われる。制御ユニット８０は、ステップＳ５でＪＡＭ後処理が終了したことを検知したら、ステップＳ６に移行する。
【００８７】
また、ステップＳ２で、制御ユニット８０が装置状態をチェックした検出結果、スリープ状態や節電状態等から復帰した状態であると判断した場合には、ステップＳ６へ進む。
【００８８】
次に、ステップＳ６のレディ状態移行処理では、制御ユニット８０がレディ状態への準備動作の制御を行う。例えば、電子写真カラー複写機がＳＬＥＥＰ状態や節電状態から復帰して、装置のＣＬＮ処理などの初期化処理が既に完了していた場合のレディ状態移行処理では、次のようにレディ状態への準備動作が行われる。すなわち、この場合には、電子写真カラー複写機の定着ヒータの温調処理を行い所定温度に達して印字可能状態となるように、レディ状態への準備動作が行われる。
【００８９】
そして、電子写真カラー複写機がレディ状態になったことを制御ユニット８０が検知したら、ステップＳ７に移行し印字指令待ちの状態に移行する。
【００９０】
このステップＳ７の印字指令待ちの状態では、電子写真カラー複写機の図示しない操作部でコピーキーが押下されて、印字指令がＯＮにされる。または、この印字指令待ちの状態では、図示しないコンピュータインターフェースからプリントジョブが電子写真カラー複写機に送られて来る等して、電子写真カラー複写機の印字指令がＯＮにされる。
【００９１】
制御ユニット８０は、電子写真カラー複写機が印字指令を受けたことを確認すると（ステップＳ７でＹＥＳ）、ステップＳ８へ移行し、印字前処理動作を開始する。この印字前処理で、制御ユニット８０は、印字前の中間転写ベルト３１への適切な帯電或いは除電を行うために、所定の２次転写高圧を出力する。ここでは、高圧制御部１０５が、高圧ユニット１０６へ、２次転写処理を行うようにラインＬ２０１，ラインＬ２０２信号を送り、スイッチ部２０１、スイッチ部２０１は、それぞれＳＷ１−Ａ、ＳＷ２−Ａ側に切り換えられる。
【００９２】
これにより、高圧電源部２０３からの高圧出力Ｌ２０１Ｃは、ＳＷ１−ＣからＳＷ１−Ａを通して、ラインＬ３６として２次転写ローラ３６に送られる。高電圧が供給された２次転写ローラ３６は、中間転写ベルト３１に２次転写電圧を印加する。ここで、２次転写電流は、２次転写対向ローラ３４を通じてラインＬ３４を通りＳＷ２−ＡとＳＷ２−Ｃを通る。そして、２次転写電流は、ラインＬ２０２Ｃを通り、電流検知部２０４を通るように２次転写電流が流れる。
【００９３】
このように流れる印字時の２次転写電流は、電流検知部２０４で検知される。そして、２次転写電流を検知した電流検知部２０４は、電流検知信号Ｌ２０４を出力し、高圧制御部１０５に送信する。ここで、制御ユニット８０が定電流制御を行う場合には、印字時の所望の定電流値になるように、ラインＬ２０３信号によって、高圧電源部２０３の出力電流を制御する（ステップＳ８）。
【００９４】
次に、制御ユニット８０は、ステップＳ８での印字前処理が終了して、中間転写ベルト３１上の印字に使われる領域の印字前処理が完了したことを検知すると、ステップＳ９へ移行する。この時、制御ユニット８０は、印字動作に必要な２次転写高圧設定を行う。ここでは、転写紙Ｐの紙種や紙サイズ、装置環境の温度湿度などに応じた適切な２次転写高圧設定が設定されるように、高圧制御部１０５が高圧ユニット１０６へラインＬ２０３を通じてで電源出力設定を行う。この後、制御ユニット８０は、印字時に適切な２次転写高圧設定での印字動作の処理を実行する（ステップＳ９）。
【００９５】
次に、制御ユニット８０は、印字動作が終了するまで待機し、印字動作の終了を検出した場合（ステップＳ１０でＹＥＳ）に、ステップＳ１１に移行する。
【００９６】
次に、制御ユニット８０は、印字動作後の後処理動作の処理を実行する（ステップＳ１１）。この印字動作後の後処理動作の処理では、正常な印字動作が終了した場合でも、中間転写ベルト３１上には２次転写残トナーが付着しているため、ベルトＣＬＮ動作を行う。この印字動作後の後処理動作の処理では、スイッチ部２０１、２０２が、ラインＬ２０１、ラインＬ２０２により、ＳＷ１−Ｂ、ＳＷ２−Ｂに切り換えられ、高圧電源部２０３にラインＬ２０３により後処理での高圧出力設定が送られる。例えば正常な印字が終了した後の後処理であり、２次転写ローラの汚れは軽微である場合には、中間転写ベルト３１上の転写残トナーのＣＬＮ処理が主体となる。
【００９７】
この電子写真カラー複写機では、ステップＳ１１での後処理が終了したことを制御ユニット８０が検知すると、この複写機の動作処理を終了させる。なお、この複写機の動作処理では、正常終了した場合に前述したステップＳ６に移行するようにしてもよい。また、この複写機の動作処理では、装置がＪＡＭを起こした場合に、前述したステップＳ２又はステップＳ４に移行するようにしてもよい。
【００９８】
［第２実施の形態］
次に、本発明の画像形成装置の第２実施の形態に係わる電子写真カラー複写機について図４の要部概略構成を示すブロック図を参照しながら説明する。
【００９９】
本第２実施の形態に係わる電子写真カラー複写機では、高圧電源を２設け、各電源の出力先を切り換え可能に構成することにより、電源の出力能力を、小規模とするよう構成されている。また、本第２実施の形態では、第１、第２のモードで、各電源の出力電圧を切り換えるよう構成されている。
【０１００】
本第２実施の形態では、第１の電源部と第２の電源部とを構成するため、２つの高圧電源部４０３、高圧電源部４０４を設け、ＣＬＮ処理の時と、印字時の時とでスイッチ部４０１、４０２の接続を切り換える。また、第１の電源部と第２の電源部を構成する高圧電源部４０３、４０４は、その出力電圧を変更可能に構成されている。これら第１の電源部と第２の電源部を構成する高圧電源部４０３、高圧電源部４０４は、それぞれラインＬ４０３、ラインＬ４０４で接続された高圧制御部１０５によって制御されるよう構成されている。
【０１０１】
これら第１の電源部と第２の電源部を構成する高圧電源部４０３、高圧電源部４０４は、それぞれ電流検知部４０５、電流検知部４０６を介して、ＧＮＤに接続（接地）される。また、この回路では、各電流検知部４０５、電流検知部４０６から、それぞれ電流検知信号Ｌ４０５、電流検知信号Ｌ４０６が高圧制御部１０５に送られるように構成されている。
【０１０２】
また、本第２実施の形態に係わる電子写真カラー複写機では、ＳＷ４０１，４０２のコモン端子をＬ３６、Ｌ３４に接続するように構成されている。なお、スイッチ部（ＳＷ部）４０１、４０２の接続を、前述した第１実施の形態のように、コモン端子を高圧電源部４０３，４０４側に接続するように構成してもよい。
【０１０３】
本第２実施の形態では、ＣＬＮ時に高圧電源部４０３からラインＬ４０１Ｃを通して正出力を出力し、スイッチ部４０２をＳＷ２−Ａに接続している。また、本第２実施の形態では、高圧電源部４０４から負電圧を出力し、ラインＬ４０２Ｃ、スイッチ部４０１のＳＷ１−Ａ及びラインＬ３６を通して２次転写ローラ３６に電圧を印加している。
【０１０４】
本第２実施の形態では、例えば、高圧電源部４０３を正  ＋５ｋＶ，高圧電源部４０４を負  −５ｋＶとして、相対電位差を１０ｋＶに構成してもよい。このように構成した場合には、高圧電源部４０３、４０４を、共に５ｋＶ程度の出力回路で構成することができ、極端に高電圧に耐える部品を用いずに安価なトランス、素子で各電源部を構成できる。また、本第２実施の形態では、高圧電源部４０３と４０４とで相対的に電位差を持たせるように構成してもよい。さらに、本第２実施の形態では、高圧電源部４０３を＋５ｋＶ、高圧電源部４０４を＋１ＫＶとするように構成してもよい。
【０１０５】
本第２実施の形態に係わる電子写真カラー複写機では、高圧電源の出力先を切り換える場合に、高圧制御部１０５が、高圧ユニット１０６のスイッチ部４０１、４０２に切換信号Ｌ４０１，Ｌ４０２による出力切換の指示を送る。
【０１０６】
本第２実施の形態では、ＣＬＮ処理時に、２次転写ローラ３６から中間転写ベルト３１へ転写残トナーが移動させる。このため、本第２実施の形態では、ＳＷ１−Ａに定電位側の高圧電源部４０４を接続し、２次転写対向ローラ３４に高電位側の高圧電源部４０３を接続する。
【０１０７】
すなわち、この回路では、ＣＬＮ処理時に、高圧制御部１０５の制御により、高圧ユニット１０６が図４に示す状態に切り換えられる。そして、この回路では、高圧電源部４０４から負電圧を出力し、スイッチ部４０１のＳＷ１−Ａに接続しているラインＬ３６を通して、２次転写ローラ３６に負電圧を印加する。これと共に、この回路では、高圧電源部４０３から正出力を出力し、スイッチ部４０２のＳＷ２−Ａに接続しているラインＬ３４を通して、２次転写対向ローラ３４に正電圧を印加する。
【０１０８】
また、本第２実施の形態では、印字時の２次転写処理のときに、スイッチ部の接続を、前述したＣＬＮ処理のときの図４に示すものと逆に接続する。この場合には、スイッチ部４０１、４０２をＳＷ１−Ｂ、ＳＷ２−Ｂに接続することで２次転写ローラ３６から２次転写対向ローラ３４へ２次転写電流が流れるようにする。
【０１０９】
すなわち、この回路では、印字時の２次転写処理のときに、高圧制御部１０５の制御により、高圧ユニット１０６が図４に示すのと逆の状態に切り換えられる。そして、この回路では、高圧電源部４０４から負電圧を出力し、スイッチ部４０２のＳＷ１−Ｂに接続しているラインＬ３４を通して、２次転写対向ローラ３４に負電圧を印加する。これと共に、この回路では、高圧電源部４０３から正出力を出力し、スイッチ部４０１のＳＷ２−Ｂに接続しているラインＬ３６を通して、２次転写ローラ３６に正電圧を印加する。
【０１１０】
上述したように、本第２実施の形態では、高圧電源を２つ有するが、各電源の出力先を切り換え可能としたことにより、電源の出力能力を小規模に構成可能としている。また、第１、第２のモードで、各電源の出力電圧を切り換える。
【０１１１】
具体的な高圧設定の例では、第１、第２の高圧電源を備え、第１の高圧電源出力が２次転写ローラに接続され、第２の高圧電源が転写内ローラに接続されている。
【０１１２】
第１のモードでは、第１の高圧電源が正バイアス＋１ｋＶを出力し、第２の高圧電源が負バイアス−１ｋＶを出力する。差電圧は＋２ｋＶであり、２次転写電流は、２次転写ローラから中間転写ベルト３１、転写材Ｐ上に流れて、中間転写ベルト３１上のトナー像が転写材Ｐ上に転写される。
【０１１３】
第２のモードでは、第１のモードと逆極性とし、各高圧電源の出力先を切り換える。この場合には、第１の高圧電源が＋５００Ｖを出力し、第２の高圧電源が０Ｖを出力する。この場合には、差電圧が−５００Ｖとなり、２次転写クリーニング電流が、中間転写ベルトから２次転写ローラへと流れ、第１のモードと逆極性の電圧が印加されて、ＣＬＮ処理が行われる。
【０１１４】
本第２実施の形態では、第１のモードでトナー像を２次転写する際に、転写の難易度が高い用紙に対しては、第１の電源の正バイアスと第２の電源との相対電圧差を大きく確保することができる。一方、本第２実施の形態では、電源の上限出力電圧を小さく設定でき、コストダウンが可能である。
【０１１５】
また、一般に、クリーニングに用いられる電圧は、２次転写時の電圧より小さい。そこで、本第２実施の形態では、第１の電源を、前述した第１実施の形態の場合より小さい正電圧出力に設定し、第２の電源の負出力電圧を０Ｖとしても、相対電圧では十分な転写電流を確保できる。よって、本第２実施の形態によれば、電源規模を小さくでき、コストダウンが可能である。
【０１１６】
なお、本第２実施の形態に係わる電子写真カラー複写機における以上説明した以外の構成、作用、効果は、前述した第１実施の形態に係わる電子写真カラー複写機と同様であるので、その説明を省略する。
【０１１７】
［第３実施の形態］
次に、本発明の画像形成装置の第３実施の形態に係わる電子写真カラー複写機について図５を参照しながら説明する。
【０１１８】
図５は、電子写真カラー複写機における２次転写高圧電源の出力をＳＷ１  Ａ、ＳＷ１  Ｂ、ＳＷ２  Ａ、ＳＷ２  ＢのＳＷ素子で構成した場合の詳細回路図である。図５は、リレーと、半導体素子とを用いた構成を例示するものである。本第３実施の形態に係わる電子写真カラー複写機では、接点レスの半導体ＳＷ素子を用いると、使用寿命を長くできるという効果が得られる場合がある。
【０１１９】
本第３実施の形態では、高圧制御部１０５が、高圧電源のトランス１次側の駆動部へ、ラインＬ５０６を通して駆動信号を送信する。すると、駆動部は、１次側巻線を駆動する。この時、トランスの２次側には、ダイオードとコンデンサによって整流された正電圧が発生する。
【０１２０】
本第３実施の形態では、高圧制御部１０５が、ＳＷ制御信号Ｌ５０２、Ｌ５０３を、スイッチ部５０１、５０２、５０３，５０４に送信して、各ＳＷ素子のＯＮ、ＯＦＦを制御するよう構成されている。
【０１２１】
本第３実施の形態では、ＣＬＮ処理を行うときに、高圧制御部１０５が、２次転写対向ローラ３４に正バイアスを給電するよう制御し、２次転写ローラ３６にＧＮＤ側が接続されるように信号Ｌ５０２、Ｌ５０３を送る。この場合には、
スイッチ部５０１  ＯＦＦ、
スイッチ部５０２  ＯＮ、
スイッチ部５０３  ＯＮ、
スイッチ部５０４  ＯＦＦ、
に設定する。
【０１２２】
これにより、ＣＬＮ処理のときには、高圧制御部１０５に制御された高圧電源部２０３から出力された正出力が、スイッチ部５０２からラインＬ３４を通って、２次転写対向ローラ３４に印加される。これと共に、２次転写ローラ３６は、ラインＬ３６、スイッチ部５０３、ラインＬ５０４及び電流検知部５０５を介して、ＧＮＤに接続（接地）される。
【０１２３】
次に、印字時の２次転写処理を行うときには、高圧制御部１０５が、２次転写ローラ３６に正バイアスを給電し、２次転写対向ローラ３４にＧＮＤ側が接続されるように、ＳＷ制御信号Ｌ５０２、Ｌ５０３を送信する。この場合には、
スイッチ部５０１  ＯＮ、
スイッチ部５０２  ＯＦＦ、
スイッチ部５０３  ＯＦＦ、
スイッチ部５０４  ＯＮ、
に設定する。
【０１２４】
これにより、印字時の２次転写処理を行うときには、高圧制御部１０５に制御された高圧電源部２０３から出力された正出力が、ラインＬ５０１を通りスイッチ部５０１からラインＬ３６を通って、２次転写ローラ３６に印加される。これと共に、２次転写対向ローラ３４は、ラインＬ３４、スイッチ部５０４及び電流検知部５０５を介して、ＧＮＤに接続（接地）される。
【０１２５】
また、本第３実施の形態に係わる電子写真カラー複写機では、電流検知部５０５をＧＮＤ側の電流が合流した経路上に設けることで、回路規模をコンパクトにできる。なお、電流検知部５０５は、電流検知信号Ｌ５０５を出力し、高圧制御部１０５に送信する。
【０１２６】
上述のように構成した本第３実施の形態に係わる電子写真カラー複写機では、高価な高圧トランス回路を１系統だけ用いて、正バイアス、逆バイアスを切り換え可能に構成できる。よって、構成が簡素で廉価な製品を提供できる。
【０１２７】
また、スイッチ部５０１、５０２、５０３，５０４を個別のＳＷ素子で構成したことにより、出力が短絡するようなトラブルを回避できる。
【０１２８】
なお、本第３実施の形態では、ＳＷ切換信号Ｌ５０２、Ｌ５０３の２本の信号で制御するような構成例について説明したが、各スイッチ部毎に独立のＳＷ信号を設定して、同時ＯＮとなって短絡することを防止するようにしてもよい。また、本第３実施の形態では、スイッチ部５０１、５０２、５０３，５０４の素子をＯＦＦにして、中間転写ベルト３１に対して、２次転写ローラ３６、２次転写対向ローラ３４がフローティング状態となるようにしても良い。さらに本第３実施の形態では、装置にプロセス条件に応じて、ＯＮ／ＯＦＦ、フローティングなどの多彩な高圧出力条件を作り出すことができる。よって、本第３実施の形態では、高耐圧の高価なトランスを使うことなく、所望の高電圧を供給する高圧回路を安価に実現できる。また、本第３実施の形態では、装置のプロセス条件にあわせて、多彩な出力条件で動作可能な高圧電源を実現できる。
【０１２９】
なお、本第３実施の形態に係わる電子写真カラー複写機における以上説明した以外の構成、作用、効果は、前述した第１実施の形態に係わる電子写真カラー複写機と同様であるので、その説明を省略する。
【符号の説明】
【０１３０】
３１    中間転写ベルト
３４    ２次転写対向ローラ
３６    ２次転写ローラ
１０５  高圧制御部
１０６  高圧ユニット
２０１、２０２    スイッチ部
２０３  高圧電源部
【図１】
2013222085.tif 000003
【図２】
2013222085.tif 000004
【図３】
2013222085.tif 000005
【図４】
2013222085.tif 000006
【図５】
2013222085.tif 000007
【図６】
2013222085.tif 000008